Podtech/llm-jp-corpus-v4-ja_patent huggingface dataset:
(57)【要約】【課題】ベルトスリングを使用して荷締めを行う際、長さ調整が出来なかった。【解決手段】市販のベルトスリングと組み合わせて使用する事により、荷締機で積荷の荷締めを行う時、荷のサイズに適した長さに調整して使用して使用する事ができ、簡易に荷締めを行う事が出来る。【選択図】図１
2011208798.tif 000002
【特許請求の範囲】
【請求項１】
本発明は、ベルトスリングを使用したい長さで折返し、本体上部に差し込み、折り返しの中にロックバーを入れ本体下部で荷締機等のフックを受ける、締めつけによりロックバーが本体上部に上がり折り返し位置を保持することを特長とする自在調整受け金具。
【発明の詳細な説明】
【技術分野】
【０００１】  本発明は市販のベルトスリングと組み合わせて使用する事により、荷締機で積荷の荷締めを行う時、簡易に長さ調整を行う事を可能にする自在調整受け金具に関するものである。
【背景技術】
【０００２】  従来から、ベルトスリングの長さ調整が出来る金具等が無かった。
【発明が解決しようとする課題】
【０００３】  ベルトスリングを荷締めに使用する場合、そのまま一本で使用するか折返して半分の長さにして使用する方法しか無かった。
【発明を解決するための手段】
【０００４】  本発明は、ベルトスリングを使用したい長さで折返し、本体上部に差し込み、折り返しの中にロックバーを入れ本体下部で荷締機等のフックを受ける、締めつけによりロックバーが本体上部に上がり折り返し位置を保持することを特長とする自在調整受け金具。
【発明の効果】
【０００５】  請求項１の発明によれば市販のベルトスリングと組み合わせて使用する事により、荷締機で積荷の荷締めを行う時、荷のサイズに適した長さに調整して使用して使用する事ができ、簡易に荷締めを行う事が出来る。
【図面の簡単な説明】
【０００６】
【図１】本発明の実施の形態を示す。
【符号の説明】１・・・・本体
２・・・・ロックバー
３・・・・ピン
４・・・・ロールピン
【図１】
2011208798.tif 000003
(57)【要約】【課題】  設備の周辺には各箇所にバルブが設置してある、このバルブは操作するためにハンドルが露出状態である、よって何人にもハンドルの操作ができる状態であるため誤った操作が発生する。【解決手段】バルブのハンドルが全て入る箱型形状の物で、その箱状をバルブの直径方向に半分にし、その切った形状の二つの箱をバルブのハンドルの厚みになる所の片方に蝶番を付ける、取り付け方はバルブハンドルを左右回転する方向から見て、蝶番の稼働を利用して拡げ上下左右からバルブハンドルを覆い被せるとその二つに割った箱状の物はハンドルと関係なく空転する、かつその二つの箱形の形状のものに鍵穴があるので鍵穴を使って施錠する、とともに鍵穴位置が中心にあるため手のひらが簡単に密着せず容易に力任せで箱状の物を回すことができない、以上のように施錠した管理者だけの操作ができ誤操作を防げることができる。【選択図】  図2
2011208726.tif 000002
【特許請求の範囲】
【請求項１】
本発明はバルブのハンドルが全て入る箱型形状の物で、その箱状をバルブの直径方向に半分にし、その切った形状の二つの箱をバルブのハンドルの厚みなる所の片方に蝶番を付け、取り付け方はバルブハンドルを左右回転する方向から見て、蝶番の稼働を利用して拡げ上下左右からバルブハンドルを覆い被せる、その二つの箱形の形状のものに鍵穴があるので、鍵穴を使って施錠するものである。
【発明の詳細な説明】
【技術分野】
【０００１】
機械設備部品にあるバルブのハンドル誤操作を防止することに関する。
【背景技術】
【０００２】
従来のバルブハンドルの誤操作を避けるために、ハンドル本体を外したり、または回されないように鎖等を利用して固定し施錠していた。
【先行技術文献】
【特許文献】
【０００３】
【特許文献１】特許公開平10-140631
【発明の概要】
【発明が解決しようとする課題】
【０００４】
設備の周辺には各箇所にバルブが設置してある、このバルブは操作するためにハンドルが露出状態である、よって何人にもハンドルの操作ができる状態であるため誤った操作が発生する。
【０００５】
従来はバルブハンドルの誤操作を避けるために、バルブのハンドル本体を外したり、またはハンドルを回されないように鎖等を利用して固定するなどしていたが、誤操作発性時の場合ハンドルが離脱状態の時はその離脱したハンドルの管理と取り付け、また鎖等で固定しているときはその解除に時間が要し誤操作を正常に戻す時間に手間がかかった。
【０００６】
本発明はこのようなバルブハンドルの誤操作の問題を解決することができるものである。        
【課題を解決するための手段】
【０００７】
そして、本発明はバルブのハンドルが全て入る箱型形状の物で、そのものをバルブの直径方向に半分にし、その切った形状の二つの箱をバルブのハンドルの厚みなる所の片方に蝶番を付け、取り付け方はバルブハンドルを左右回転する方向から見て、蝶番の稼働を利用して拡げ上下左右からバルブハンドルを覆い被せるかつその二つの箱形の形状のものに鍵穴があるので、鍵穴を使って施錠する。
【発明の効果】
【０００８】
この発明により、不特定多数の何人もこのバルブハンドルカバーが付いていればバルブの開閉が容易でなく、限られた管理者だけが操作できる、また緊急時の場合は施錠の管理だけ適切にしておけば簡単に開錠取り外しができハンドル操作ができる。
【図面の簡単な説明】
【０００９】
【図１】既設バルブハンドルにハンドルカバーを装着する図
【図２】既設バルブに、バルブハンドルカバー装着後図
【発明を実施するための形態】
【００１０】
以下、本発明の実施の形態を図1と図2に基づいて説明する。
【００１１】
図1は既設バルブ1に、バルブハンドルカバー2を蝶番3によって開かれ、既設バルブ1に覆い被せる、そして鍵穴4を利用して、施錠する。
【００１２】
図2は既設バルブが、バルブカバーによって覆い被さった状態である。  バルブハンドルカバーはバルブハンドルとは関係せず空回りし、バルブの開閉操作ができない状態ができる。
【００１３】
また鍵穴4がバルブの中心上に付いているため、手でバルブハンドルカバーを握っても、手のひらと密着せず、容易に力が入りづらく、力任せのバルブ操作ができない。
【符号の説明】
【００１４】
１．  既設バルブハンドル
２．  バルブハンドルカバー
３．  蝶番
４．  鍵穴
【図１】
2011208726.tif 000003
【図２】
2011208726.tif 000004
(57)【要約】【課題】  裾長パンツにおいて、上前立て部の開口部が目立たず、外観も損なわず、手の不自由な人や、高齢者や子供でも男性の陰部を取り出し易くするとともに、下着を着用時に男性の陰部が見え難くし、またショートパンツと裾長のパンツ両方の機能を備えた男性用下着を提供する。【解決手段】裾長パンツ本体１と、この裾長パンツ本体１に設けられ上前立て部３と下前立て部４からなる合わせ目部２と、上前立て部３と下前立て部４の間に形成される開口部５と、裾長パンツ本体１と下前たて部４との内側に設けられた、褌状当て布７を設ける。【選択図】図１
2011208338.tif 000002
【特許請求の範囲】
【請求項１】
裾長パンツ本体と、この裾長パンツ本体に設けられた上前立て部と下前立て部からなる合わせ目部と、上記上前たて部と上記下前たて部の間に形成される開口部と、上記裾長パンツ本隊と上記下前たて部の内側に設けられた、褌状当て布を備えたことを特徴とする男性用下着。
【請求項２】
上記、褌状当て布は、例えば、面ファスナー等で裾長パンツ本体の上部にあるゴムバンド部の内側の前後に着脱可能にとする、請求項１に記載の男性用下着。
【請求項３】
上記、褌状当て布部の両縁で人体の股にあたる部分にゴムなど縫いこんでもいい。
【発明の詳細な説明】
【技術分野】
【０００１】  本発明は、男性用下着の構造に関するものである。
【背景技術】
【０００２】  従来の男性用下着は、暖かい季節には吸汗のためにショートパンツの上に薄めの生地の裾長のパンツ（すててこ）を穿き、寒い季節には保温のためショートパンツの上に厚めの生地の裾長のパンツ（ズボン下）を穿くのが一般的である。ショートパンツも裾長のパンツも上前立て部と下前立て部を有していて合わせ目部を持っている。また、合わせ目部が狭く開口部にボタンやホックがついたものもある。また、従来の男性用下着は、前面に二枚の布が重ねあわされる重合部が設けられ、縫い付けられていない二枚の布の間に開口部が設けられ、この開口部の上端がブリーフの下端に達しているものがある。（例えば、特許文献１参照）
また、パンツ本体上に横開き式出口を備えたものもある。（例えば、特許文献２参照）
【先行技術文献】
【０００３】
【特許文献１】  実用新案登録第３０７０８１５号公報
【特許文献２】  実用新案登録第３０９５９６９号公報
【発明の概要】
【発明が解決しようとする課題】
【０００４】  上述のような一般的な従来の男性用下着は、上前立て部と下前立て部の合わせ目部が広く、男性の陰部を取り出しにくいという問題点があった。特に、暖かい季節においてショートパンツの上に吸汗のために薄い生地の裾長のパンツを穿いたり、寒い季節においてショートパンツの上に保温のために厚手の生地の裾長のパンツを穿いたりすると、手の不自由な人や高齢者、子供では、陰部の取り出しがさらに困難であり、小用時に困ることが多いという問題点があった。また、上前立て部と下前立て部の合わせ目部が狭く開口部にボタンやホックがついたものは、下着を着用する時点において、ボタンやホックをはめたり外したりするのに手間がかかるため外したままにしていることが多く、着用時に男性の陰部が見えやすいという問題点があった。【０００５】  また、上述の特許文献１の男性用下着は、下前立て部の改良がなされておらず、また、開口縁が広すぎるので外観上の見栄えが悪いという問題点があった。【０００６】  また、上述の特許文献２の男性用下着は、横開き式出口に上方向から手指を入れ、手指の操作で陰部を出し入れさせるのが難しいという問題点もあった。【０００６】  さらに、ショートパンツの開口部と裾長パンツの開口部の位置が違うものもあって、手指の操作で陰部を取り出しにくいという問題点もあった。【０００７】  本発明は、上述のような問題点を解消するためになされたもので、裾長のパンツにおいて、上前立て部の開口部が目立たず、外観も損なわず、手の不自由な人や高齢者、子供でも男性の陰部を取り出しやすくするとともに、裾長のパンツを着用時に男性の陰部が見え難い男性用下着を提供することで、ショートパンツと裾長のパンツの機能を一体化することを目的とする。
【課題を解決するための手段】
【０００８】  本発明は、上述のような問題点を解決するためになされたもので、裾長パンツ本体と、この裾長パンツに設けられた上前立て部と下前立て部からなる合わせ目部と、上前立て部と下前立て間に形成せれる開口部と、裾長パンツ本体と下前立て部との内側に設けられた褌状当て布を備えたもので、裾長のパンツとショートパンツ両方の機能を備えたものである。【０００９】  また、上述の褌状当て布を面ファスナーなどで止めて、着脱可能にしたものである。
【発明の効果】
【００１０】  この発明の男性用下着は、裾長パンツの内側に褌状の当て布を備えたことで、開口部が目立たず外観を損なうことなく、男性の陰部が容易に取り出し易くなる。
さらに、手が不自由な人や高齢者、子供でも、小用時に男性の陰部を容易に取り出し易くなる。【００１１】  また、褌状当て布を設けたため、陰部を保持しながら、しかも通気性がいい。【００１２】  さらに、裾長のパンツとショートパンツ両方の機能を備えているため両方を穿く必要がなく、経済的にも有効である。【００１３】  さらに、裾長パンツが滑り落ちないように、腰部にゴムバンド等で滑り止めを施しているが、裾長のパンツとショートパンツ両方の機能を一体化した構造であるため、腰部のゴムバンド等による圧力が少なく、肌への圧迫感も少ない。
【図面の簡単な説明】
【００１４】
【図１】  本発明の一実施例を示す男性用下着の正面図である。
【図２】  図１示す男性用下着の平面図である。
【図３】  図１の線Ａ−Ａに沿う断面図である。
【発明を実施するための形態】
【実施例１】
【００１５】  図１は、本発明の一実施例を示す男性用下着の正面図である。図２は、図１に示す男性用下着の上部の端を楕円形に開いた状態を示す平面図である。図３は図１の線Ａ−Ａに沿う断面図である。図１において、１０は男性用下着であり、裾長パンツ本体１と、裾長パンツ本体１に上下方向に開口された後記する開口部５を有する合わせ目部２で構成されている。合わせ目部２は、上前立て部３と下前立て部４の二枚の布が重ねられ、この二枚の布は上端部２ａと下端部２ｂが縫い合わされている。
また、図１に示すとおり、下前立て部４の右側部は縫い付けられておらず、上前立て部３の左側部も縫い付けられていない状態となっている。【００１６】  そのため、下前立て部４と上前立て部３は引き離すことができ、引き離された布の間に男性の陰部の通路となる開口部５が形成されている。【００１７】  図２及び図３に示す通り、男性用下着１０の裾長パンツ本体１の下前立てとの内側に、褌状の当て布７を設けたので、開口部５から褌状当て布を通して男性の陰部を容易に出すことができる。【００１８】  なお、上記褌状当て布は例えば面ファスナーなどで裾長パンツ本体のゴムバンド部６の内側に着脱可能に装着してもよい。
【符号の説明】
【００１９】１  裾長パンツ本体、２  合わせ目部、３  上前立て部、４  下前立て部、５  開口部、６  ゴムバンド部、７  褌状当て布  １０  男性用下着
【図１】
2011208338.tif 000003
【図２】
2011208338.tif 000004
【図３】
2011208338.tif 000005
(57)【要約】【課題】ステンレス鋼表面に対する耐食性改善方法を提供する。【解決手段】１重量％以上の硫酸、シュウ酸、酢酸、硝酸、リン酸、クエン酸、酒石酸、リンゴ酸、スルファミン酸、グルコン酸、グリコール酸、コハク酸、並びに、それらのナトリウム、カリウム、及び、アンモニウム塩の群から選ばれた一種又は二種以上を組み合わせたものを基材として、そこに０．１重量％以上の臭化水素酸、並びに、そのナトリウム、カリウム、及び、アンモニウム塩の群から選ばれた一種または二種以上を組み合わせたものを添加した溶液を電解液とし、処理すべきステンレス鋼と電極の間に通水性不織布をはさむか、又は直接接触させて、交流、直流、又は交直併用にて電解するステンレス鋼の表面改質法。【選択図】なし【特許請求の範囲】
【請求項１】
１重量％以上の硫酸、シュウ酸、酢酸、硝酸、リン酸、クエン酸、酒石酸、リンゴ酸、スルファミン酸、グルコン酸、グリコール酸、コハク酸、並びに、それらのナトリウム、カリウム、及び、アンモニウム塩の群から選ばれた一種又は二種以上を組み合わせたものを基材として、そこに０．１重量％以上の臭化水素酸、並びに、そのナトリウム、カリウム、及び、アンモニウム塩の群から選ばれた一種または二種以上を組み合わせたものを添加した溶液を電解液とし、処理すべきステンレス鋼と電極の間に通水性不織布をはさむか、又は直接接触させて、交流、直流、又は交直併用にて電解することを特徴とするステンレス鋼の表面改質法。
【発明の詳細な説明】
【技術分野】
【０００１】
この発明は、ステンレス鋼に対する耐食性向上を目的とした表面改質法に関し、更に詳しくは表面改質法での電解作業に使用する電解液の組成に関するものである。
【背景技術】
【０００２】
金属加工法として金属を電解液と接触させながら直流又は交流電圧を印加して加工する電解加工が広く用いられており、ステンレス鋼においても、溶接後の焼け取り部分を表面研磨する方法として電解研磨法が行なわれている。
【０００３】
また、金属と電解液を接触させる方法も、電解液に被研磨材となる金属（ワーク）を浸漬させる浸漬式や、電極とワークの間に天然または合成の不織布を置いた簡易式がある。
【０００４】
現在まで使用されてきたステンレス鋼の電解液としては、交流、直流、交直重畳にかかわらず、また、浸漬式、簡易式等の方式を問わず、硫酸、シュウ酸、酢酸、燐酸、クエン酸、酒石酸、シュウ酸、リンゴ酸、酢酸、グルコン酸、グリコール酸、コハク酸、フッ化水素酸もしくはそれらのアンモニウム、カリウム、ナトリウム塩の一種もしくは二種以上の塩を配合したものなどがある（一例として、特許文献１参照）。
【先行技術文献】
【特許文献】
【０００５】
【特許文献１】特開２００７−２３１４１３号公報
【発明の概要】
【発明が解決しようとする課題】
【０００６】
しかし、上記従来の電解液を用いたものは金属表面の研磨が目的で表面改質を目的とはしていなかった。
【０００７】
そこで、表面研磨よりも耐食性を向上させる事を目的とした電解液を得るべく種々の材料を検討することによって本発明に至ったものである。
【課題を解決するための手段】
【０００８】
上記の課題を解決するため、請求項１の発明は、１重量％以上の硫酸、シュウ酸、酢酸、硝酸、リン酸、クエン酸、酒石酸、リンゴ酸、スルファミン酸、グルコン酸、グリコール酸、コハク酸、並びに、それらのナトリウム、カリウム、及び、アンモニウム塩の群から選ばれた一種又は二種以上を組み合わせたものを基材として、そこに０．１重量％以上の臭化水素酸、並びに、そのナトリウム、カリウム、及び、アンモニウム塩の群から選ばれた一種または二種以上を組み合わせたものを添加した溶液を電解液とし、処理すべきステンレス鋼と電極の間に通水性不織布をはさむか、又は直接接触させて、交流、直流、又は交直併用にて電解するステンレス鋼の表面改質法である。
【発明の効果】
【０００９】
この発明の電解液を用いた表面改質法は、ステンレス鋼の耐食性を飛躍的に向上させることができ経済的である。
【発明を実施するための最良の形態】
【００１０】
電極の先の不織布に（１）硫酸水素ナトリウム５％にクエン酸５％を添加した水溶液（２）硫酸水素ナトリウム５％にクエン酸５％を添加した水溶液に、さらに２％の臭化ナトリウムを添加した水溶液を、それぞれ電解液として、オーステナイト系ステンレス鋼であるＳＵＳ３０４（４０ｍｍ×３０ｍｍ×１．２ｍｍ）に２０Ｖの交流電流を印加した後、６重量％の塩化第二鉄水溶液に浸漬し２４時間後の重量減を比べてみた。
【００１１】
（１）硫酸水素ナトリウム５％にクエン酸５％を添加した水溶液（２）硫酸水素ナトリウム５％にクエン酸５％を添加した水溶液に、さらに２％の臭化ナトリウムを添加した水溶液で電解液で処理した試験片の減少率は、それぞれ（１）１３．４１９ｍｇから１３．３０７ｍｇに減少したので減少率０．８重量％、（２）１３．３９８ｍｇから１３．３４９ｍｇに減少したので減少率０．４重量％、であった。
【００１２】
また多少の差はあるものの、臭化水素酸でも、それらのカリウムやアンモニウム塩でも、通電方式や方法、基材に関係なく０．１％以上の濃度で効果が認められたので、請求項１にあるように１重量％以上の硫酸、シュウ酸、酢酸、硝酸、リン酸、クエン酸、酒石酸、リンゴ酸、スルファミン酸、グルコン酸、グリコール酸、コハク酸、もしくはそれらのナトリウム、カリウム、アンモニウム塩の一種または二種以上を添加したものを基材とし、これに０．１重量％以上の臭化水素酸もしくはそれらのナトリウム、カリウム、アンモニウム塩の一種または二種以上を添加したものを電解液とすることによりステンレス鋼の耐食性能を飛躍的に向上させることが分かった。
(57)【要約】      （修正有）【課題】花火を確実に固定できる花火台で、花火の殻が飛んでのケガや火災が防止でき、花火の取り付け取り外しが簡単である。手指も汚れず、小石、土、砂、で花火を固定した場合に比較し、固定と取り除く手間も省ける。大きな花火の打ち上げでも、動くことはなく安全に打ち上げることができる花火台を提供する。【解決手段】本体１上部に角度板２とボルト３を設け、固定棒４、ワツシヤ５、蝶ナット６を取り付け、花火８の種類に合わせて、固定棒４を移動させて蝶ナット６で花火８を本体１に固定と取り外しが確実で安全に打ち上げることを特徴とする花火台。【選択図】図３
2011208931.tif 000002
【特許請求の範囲】
【請求項１】
花火台本体上部にボルトと９０度の角度板を縦に設け、先端部に突起と溝のついた固定棒、薄い丸ワツシヤ、蝶ナツトを本体上部に設けてあるボルトに固定棒、ワツシヤ、蝶ナツトの順に組み込んで花火を本体下部に上げて、角度板につけて立て、固定棒を移動させて先端部を花火に押し当てて、少し強く締め付け後、蝶ナツトで固定棒を固定する事により、花火台に花火の固定と、蝶ナツトを弛めて固定棒を移動させて花火を花火台から取り外しする事を特徴とする打ち上げ花火台。
【発明の詳細な説明】
【技術分野】
【０００１】  本発明は、花火台本体に角度板とボルトを設け、固定棒、ワツシヤ、蝶ナツトを使用して花火を本体に取り付け固定と取り外しを簡単で確実にして、安全に打ち上げる花火台に関するものである。
【背景技術】
【０００２】  従来、花火を打ち上げるとき、花火を固定する道具はなく、花火を地面に置いて、まわりを小石、土、砂で固定、又は柱を立てて花火を縛りつけて打ち上げをしていた。
【発明の開示】
【発明が解決しょうとする課題】
【０００３】  そのために、次のような問題があった。（イ）打ち上げの衝撃で花火を固定していた、小石、土、砂と花火の殻が飛んでケガ、火災の危険がある。（ロ）打ち上げの花火１本ごとに小石、土、砂で固定したり、除いたりするので手間もかかるし、手も汚れる。  本発明は、これらの問題点を解決するためになされたものである。
【課題を解決するための手段】
【０００４】  花火台本体に、角度板、ボルトを設け、固定棒、ワツシヤ、蝶ナツトを取り付け、花火の種類に合わせて、固定棒を移動させて蝶ナツトで花火を本体に固定と取り外しが、確実で簡単にできて打ち上げ花火を安全に打ち上げる花火台である。
【発明の効果】
【０００５】  花火を花火台に確実に固定できて、花火の殻が飛んでのケガ、火災の防止、花火の取り付け取り外しが簡単で、手指も汚れず、小石、土、砂、で花火の固定と取り除く手間も省けるし、花火の大きさ１７ミリから７５ミリ、高さは７５ミリから３５０ミリ、形状は丸型、３角から８角、重さ、鉄とステンレス製で５５０グラムで、打ち上げでも花火台は動くことはなく安全に打ち上げることができる。
【発明を実施するための最良の形態】
【０００６】  以下、本発明の実施の形態を説明する。（イ）花火台本体（１）上部にボルト（３）角度板（２）下部に４本の脚（７）を設ける。（ロ）ボルト（３）に固定棒（４）ワツシヤ、（５）蝶ナツト（６）を取り付ける。  本発明は、以上の構成よりなっている。  これを使用するときは、花火（８）を花火台の本体（１）に取り付けて、先端部に固定用の突起と、前後に移動できる溝のある固定棒（４）を後ろに下げて花火（８）の大きさ、形状に合わせて、９０度の角度板（２）に花火（８）を軽く押し当て、花火（８）の導火線（９）を点火できる向きにして、片方の手指で、蝶ナツト（６）を掴み、もう片方の手指で固定棒（４）の後部を掴み、先端部を花火（８）に少し強く押し付け固定しながら、蝶ナツト（６）を回し固定する。  導火線（９）に点火して打ち上げ後、蝶ナツト（６）を弛めて固定棒（４）を後ろに下げて、花火（８）の殻を取り外す。
【図面の簡単な説明】
【０００７】
【図１】本発明の斜視図
【図２】本発明の分解の斜視図
【図３】本発明の花火取り付け取り外しの斜視図
【図４】本発明の花火台使用の斜視図
【符号の説明】
【０００８】    １  本体    ２  角度板    ３  ボルト    ４  固定棒    ５  ワツシヤ    ６  蝶ナツト    ７  脚
【図１】
2011208931.tif 000003
【図２】
2011208931.tif 000004
【図３】
2011208931.tif 000005
【図４】
2011208931.tif 000006
(57)【要約】【課題】炉内装入物の過度の冷却を防止すると共に、熱変形による亀裂を防止し、高炉鉄皮を保護することができるステーブクーラを提供する。【解決手段】冷却流路７を形成した熱伝導性の良好な銅製の母材８の炉内側に熱伝導率の低い特殊鋼製のブロック１１を複数、それぞれボルト１２にて固定し、ボルト１２は母材８を貫通しないで、ボルト１２が抜け落ちても炉内の高温ガスが鉄皮側に流入しないようにする。【選択図】図２
2011208219.tif 000002
【特許請求の範囲】
【請求項１】
高炉炉壁に設けられるステーブクーラであって、冷却流路が形成された銅製の母材と、該母材の炉内側側面に複数、それぞれ固定手段によって固定される特殊鋼製のブロックを有することを特徴とするステーブクーラ。
【請求項２】
前記固定手段がボルトであり、該ボルトが炉内側からブロックを通して前記母材に該母材を貫通しないようにして捩じ込まれることを特徴とする請求項１記載のステーブクーラ。
【発明の詳細な説明】
【技術分野】
【０００１】
本発明は、高炉炉壁を長期にわたって強固に維持するために高炉炉壁に設けられるステーブクーラに関する。
【背景技術】
【０００２】
高炉炉壁は通常、外側の鉄皮と、該鉄皮に内張りされる耐火物とで構成され、耐火物層の炉内側或いは耐火物層内には更に耐火物層を保護し、耐火物層の損耗による鉄皮を保護するためにステーブクーラが設けられている。
【０００３】
ステーブクーラには例えば冷却管の鋳込みなどにより冷却流路が形成され、冷却流路内に冷却水を通すことにより炉壁を冷却するようになっており、その多くが鋳鉄又は銅製で、図１に示すように、冷却管４を鋳込んだ鋳鉄製の母材１の炉内側側面に複数の係合凹部２を設け、該凹部２にステンレス製のブロック３を埋設したものも知られる（特許文献１）。
【先行技術文献】
【特許文献】
【０００４】
【特許文献１】実開平６−４７３４７号
【発明の概要】
【発明が解決しようとする課題】
【０００５】
鋳鉄は表１に示すように熱伝導率が銅に比べ低く、例えばステンレス鋼などの特殊鋼は更に低いため、鋳鉄製のステーブクーラ、とりわけ図１に示すステーブクーラは炉内装入物を過冷却しない、という面で有効であるが、熱伝導率が低いことは反面、ステーブクーラ自体の炉内側と鉄皮側の温度差が大きくなり、そのため鋳鉄製のステーブクーラに熱変形によるクラックが発生し、ステーブ内部の冷却管に破損を生ずるおそれがある。
【０００６】
また図１に示すような特殊製のブロック３は、係合凹部にモルタルを塗って嵌合固定されるか、或いは上面を母材１に溶接にて固定されているが、材質の熱膨張差によりモルタル層の内外に隙間ができたり、或いは溶接部分が損耗してブロック３が脱落するおそれがある。
【０００７】
一方銅製のステーブクーラは、優れた熱伝導性を有し、冷却能が高いため鉄皮保護の観点からは有効であるが、炉内装入物が過度に冷却されて焼結鉱の還元粉化現象を誘発し、炉壁部の通気性を阻害する、いわゆる不活性化の進行による状況不調に陥るおそれがある。
【０００８】
本発明は、高炉鉄皮の保護と、炉内装入物の過度の冷却を防止するという相反する機能を両立させたステーブクーラを提供することを目的とする。
【課題を解決するための手段】
【０００９】
請求項１に係わる発明は、高炉炉壁に設けられるステーブクーラであって、冷却流路を形成した銅製の母材と、該母材の炉内側受熱面に複数、それぞれ固定手段によって固定される特殊鋼製のブロックを有することを特徴とする。
【００１０】
請求項２に係わる発明は、請求項１に係わる発明の固定手段がボルトであり、該ボルトが炉内側からブロックを通して前記母材に該母材を貫通しないようにして捩じ込まれることを特徴とする。
【発明の効果】
【００１１】
請求項１に係わる発明のステーブクーラによると、熱伝導性に優れた銅製の母材の炉内側に鋳鉄より熱伝導率が低い特殊鋼製のブロックを取付けて組合わせたことにより炉壁近傍における装入物の緩冷却を可能にすると共に、ステーブクーラの熱変形による亀裂を防止し、高炉鉄皮を保護することができる。
【００１２】
請求項２に係わる発明によると、特殊鋼製ブロックが母材にボルトにて止着されることにより、母材とブロックの密着性が高く、炉内装入物や高温ガスにブロックが曝された場合においてもブロックの熱を容易に母材に逃がすことでブロックの耐久性を確保でき、また、ブロックが損耗してもブロックの脱落を生じにくく、損耗の進行によりブロックが脱落し、ボルトが抜け落ちるようなことがあってもボルトは母材を貫通していないため、貫通孔が形成される場合のように、炉内の高温ガスが貫通孔より鉄皮側に流入し、鉄皮に損傷を与える、といった問題を生ずることがない。
【図面の簡単な説明】
【００１３】
【図１】従来のステーブクーラの断面図。
【図２】本発明に係わるステーブクーラの要部の断面図。
【発明を実施するための形態】
【００１４】
以下、本発明の実施形態のステーブクーラについて図面により説明する。
図２に示すステーブクーラ６は、図示しない鉄皮に内張りされる耐火物の炉内側に配され、冷却流路７を形成した銅製の母材８と、該母材８の炉内側受熱面に上下方向に一定間隔で多数形成される凹所９に位置決めして装着される台形断面の特殊鋼製ブロック１１よりなり、各ブロック１１はそれぞれ炉内側からボルト１２を通して母材８に捩じ込むことにより固定され、各ボルト１２は母材８を貫通せず、該母材８より突き出さないようにしてある。
【００１５】
上下の各ブロック１１間には、それぞれブロック１１が台形断面をなすことにより蟻溝状の隙間が形成され、各隙間には不定形耐火物１３が充填されている。
【実施例】
【００１６】
図２に示すステーブクーラ６を用い、炉壁近傍における装入物の冷却度合及びステーブクーラ６の熱変形による亀裂の有無を点検した結果を表１に示す。表１の◎で示すように、炉壁近傍における装入物の過冷却はなく、ステーブクーラ６の亀裂も認められなかった。なお、表１に示すステーブクーラ６の熱伝導率２９kcal/mh℃は、圧延銅よりなる母材８の厚みａを７９mm、特殊鋼製ブロック９の厚みｂを６５mmとしたときの計算値である。
【００１７】
比較例１
鋳鉄製のステーブクーラについて、実施例と同様にして炉壁近傍における冷却度合及びステーブクーラの熱変形による亀裂の有無を点検した。結果は表１の◎で示すように、炉壁近傍における装入物の過冷却は実施例と同様にないが、ステーブクーラに熱変形による亀裂が若干認められた。
【００１８】
比較例２
銅製のステーブクーラについて、実施例と同様にして炉壁近傍における冷却度合及びステーブクーラの熱変形による亀裂の有無を点検した。結果は表１に示されるように、ステーブクーラの熱変形による亀裂は認められなかったが、炉壁近傍における装入物の温度が実施例に比べ低下し、過冷却を生じた。
【００１９】
【表１】
2011208219.tif 000003
【符号の説明】
【００２０】
６・・ステーブクーラ
７・・冷却流路
８・・母材
９・・凹所
１１・・特殊鋼製ブロック
１２・・ボルト
１３・・不定形耐火物
【図１】
2011208219.tif 000004
【図２】
2011208219.tif 000005
(57)【要約】      （修正有）【課題】投稿により評価・採用されたキャラクタを世に中に浸透させるビジネスモデルを提供する。【解決手段】インターネットを通じて受け付けたキャラクタを評価し、評価を完了したキャラクタの使用権を地域、企業等に付与して、キャラクタの製品や映像等の販売を実施し、評価向上のうえで、祭典を実施し、地域の活性化に寄与するビジネスモデルである。【選択図】図１
2011258169.tif 000002
【特許請求の範囲】
【請求項１】
インターネットを介して受け付け育て上げたキャラクターの具現化、イベント化、キャラクターの著作権を販売するビジネスモデル特許。
【発明の詳細な説明】
【０００１】  本発明は、インターネットを通じて投稿、育成、評価をされたキャラクターを現実化、具体化、ＣＭ等への採用を実現していくための具現化ビジネスモデルの発明である。
【発明が解決しようとする課題】
【０００２】  本発明は、キャラクターを思いついた個人、団体の表現の場所は、まだまだ、限られた状態で有ると言える。できる限り多くの表現の場所を設け、人の目に触れる場所を作り出さなければならない。
それと共に、地方の活性化が、急務の問題に挙げられている事を、同時に解決する事を目的とした。
【発明の詳細な説明】
【０００３】  図１，において、不特定多数よりインターネットを通じて受け付けたキャラクターを、ネット上で育成、評価、して、一定の期限をもってネット上で評価完了したキャラクターの使用権を、一定の地域、企業等に付与して、具現化されたキャラクターの製品や映像等の販売を一定の地域のみで行い。物語や、プロフィールを、ネット以外の具現化されたもので展開する。
この状態も、ネットで、公開は、し続けるが、あくまでもゲーム、映像、製品等の具体化されたもので実現化し、評価向上を計る。
この様にして育ち上がったキャラクターを一定期間終了後に一堂に会して、カーニバルの様な祭典を、開催して。実際にカーニバル、祭典を観覧に来た人や、ネットを通じてカーニバル、祭典を中継して観覧した不特定多数から評価を受け、最高評価を受けたキャラクターの選出を行う。
【発明の効果】
【０００４】  詳細な説明の手順を踏む事で、キャラクターの認知度を、上げ、地域活性を生み出して行く。
【０００５】  ネット上で、評価を受けたキャラクター製品の購入や、一定の映像等の購入、観覧を、キャラクター使用権を付与された地域に実際に足を運ばないと、購入、観覧ができないと言う制限を設ける事で、キャラクターに一層の魅力を付加できる。
【図面の簡単な説明】
【図１】本発明が目指すネット投稿キャラクター具現化、イベント化、著作権販売ビジネスモデルの概略図である。
【図１】
2011258169.tif 000003
(57)【要約】      （修正有）【課題】再生可能エネルギーを利用した多種類の発電装置それぞれに共通な情報通信機能付き接続機器を使用することにより、簡単確実な施工で安価に成る事を目指した情報管理ビジネスモデルを提供する。【解決手段】再生可能エネルギーを利用した発電装置を、共通接続機器に接続し、風力発電機には、風力計、風向センサー、雨量センサー、湿度センサー、温度センサー、照度計の機能を持たせ、小水力発電機には、水量センサーの機能を持たせる等して、エネルギー、情報の一体一括管理制御、情報の活用を目指したビジネスモデルとする。【選択図】なし【特許請求の範囲】
【請求項１】
再生可能エネルギー使用発電機器情報通信機能付き共通接続機器による情報管理ビジネスモデル。
【発明の詳細な説明】
【０００１】  本発明は、全ての再生可能エネルギーを利用使用した発電機器に共通接続機器を標準化することにより、これから各家庭、企業等で使用していくための、設置、接続、増設等の施工やメンテナンスが容易に出来る事を目的とした発明である。
また、ＵＳＢの様に情報も同時に通信できるようにする事により、再生可能エネルギーを使用、利用した発電機器は、そのまま、多様な、センサーに成り得、各機器の特性を生かした情報を収集、分析し、様々な管理や、制御に活用出来る。
この、エネルギー、情報の一体一括管理制御、情報の活用を目指したビジネスモデルの発明である。
【発明が解決しようとする課題】
【０００２】  本発明は、再生可能エネルギーを使用利用した発電装置が、多種類、多数開発され民間にも一般的に使用され始めているが、それぞれ共通の接続装置を使用している事はなく、接続も簡便にできてはいない。設置、接続、増設の施工に手間が掛かり費用の増大に繋がる、この共通接続機器を使用することにより、簡単確実な施工で安価に成る事を目指した発明である。
【発明の効果】
【０００３】（１）、再生可能エネルギーを使用利用した発電装置を、共通接続機器に接続する事により、設置、接続、増設等、施工が容易に成る
（２）、再生可能エネルギーを使用利用した発電装置は、その多くが情報機器として利用でき、風力発電機は、風力計になる。
風力発電機に製造時、風向センサー、雨量センサー、湿度センサー、温度センサー、照度計（太陽パネル使用箇所には無いものも供給可能。）を具有させる事により、電力以外に現在気象庁が使用している「アメダス」と同じ様な機能を持たせる事が可能である。
（３）、小水力発電機は、水量センサーと成る。便器は、生体のセンサーとなる他、尿の成分センサー等身体状態のセンサーにもなり得る。
現在、独居老人の生死で社会的問題が叫ばれているが、病院と連動する事で、独居老人の身体管理が、きめ細やかに行う事ができ、万が一孤独死の様になっても、早期発見が可能である。
（４）、防災・防犯センサーを同時に接続できるように接続機能を共通化する事で、防犯防災の、安全管理も、容易にできる様になる。
【図面の簡単な説明】
【図１】本発明が目指す電力、情報一体、一括管理のビジネスモデルの概略図である。
【図１】
2011258170.tif 000002
【手続補正書】
【提出日】平成22年10月8日(2010.10.8)
【手続補正１】
【補正対象書類名】明細書
【補正対象項目名】全文
【補正方法】変更
【補正の内容】
【発明の詳細な説明】
【社会的背景】
【０００１】  再生可能エネルギーを使用利用した発電装置が、多種類、多数開発され民間にも一般的に使用され始めているが、それぞれ共通の接続装置を使用している事はなく、接続も簡便にできてはいない。設置、接続、増設の施工に手間が掛かり費用の増大に繋がっている。
【本発明の目指す概要】
【０００２】  本発明は、全ての再生可能エネルギーを利用使用した発電機器に共通接続機器を標準化することにより、これから各家庭、企業等で使用していくための、設置、接続、増設等の施工やメンテナンスが容易に出来る事を目的とした発明である。
また、ＵＳＢの様に情報も同時に通信できるようにする事により、再生可能エネルギーを使用、利用した発電機器は、そのまま、多様な、センサーに成り得、各機器の特性を生かした情報を収集、分析し、様々な管理や、制御に活用出来る。
この、エネルギー、情報の一体一括管理制御、情報の活用を目指したビジネスモデルの発明である。
【発明の効果】
【０００３】（１）、再生可能エネルギーを使用利用した発電装置を、共通接続機器に接続する事により、設置、接続、増設等、施工が容易に成る
（２）、再生可能エネルギーを使用利用した発電装置は、その多くが情報機器として利用でき、風力発電機は、風力計になる。
風力発電機に製造時、風向センサー、雨量センサー、湿度センサー、温度センサー、照度計（太陽パネル使用箇所には無いものも供給可能。）を具有させる事により、電力以外に現在気象庁が使用している「アメダス」と同じ様な機能を持たせる事が可能である。
（３）、小水力発電機は、水量センサーと成る。便器は、生体のセンサーとなる他、尿の成分センサー等身体状態のセンサーにもなり得る。
現在、独居老人の生死で社会的問題が叫ばれているが、病院と連動する事で、独居老人の身体管理が、きめ細やかに行う事ができ、万が一孤独死の様になっても、早期発見が可能である。
（４）、防災・防犯センサーを同時に接続できるように接続機能を共通化する事で、防犯防災の、安全管理も、容易にできる様になる。
【図面の簡単な説明】
【図１】本発明が目指す電力、情報一体、一括管理のビジネスモデルの概略図である。
(57)【要約】      （修正有）【課題】キャラクタビジネスにおいて、多くの才能の発掘に寄与するビジネスモデルを提供する。【解決手段】インターネット上に設けたサーバに、不特定多数の人や団体がキャラクタを投稿し、該キャラクタを閲覧した不特定多数の人が評価し、その順位を決定の上、該キャラクタの利用権を販売する著作権販売を目的とするビジネスモデルである。【選択図】図１
2011258168.tif 000002
【特許請求の範囲】
【請求項１】
不特定多数が、作成したキャラクターの投稿を受付、不特定多数でキャラクターを育て上げ、キャラクターの著作権を販売するビジネスモデル特許。
【発明の詳細な説明】
【０００１】    本発明は、インターネット上に設けたサーバーに、不特定多数の人や団体が、これはと思うキャラクターを、インターネットを通して投稿し、投稿されたキャラクターを、インターネットを通して閲覧した不特定多数の人が、評価して、順位を決めていき、その順位で、キャラクターの利用権を販売していく著作権管理販売を目的とした、ビジネスモデルの発明である。
【発明が解決しようとする課題】
【０００２】    現在「ゆるキャラ」等と称される様々なキャラクターの出現に見られる様に、キャラクタービジネスには、注目がされているが、まだまだ、多くの才能を発掘できているとは、言えない。また、日本国内の才能発掘は、それなりにされているだろうが、世界的規模での才能の発掘が、されていない。
【発明の詳細な説明】
【０００３】  本発明において、キャラクター投稿者だけでなく、閲覧者が、これは、と思うキャラクターに閲覧者が、キャラクターのプロフィールや、キャラクターの所持するアイテム（道具等）居住環境、物語等、キャラクター投稿者が、投稿時に指定していなければ、投稿する事ができ、キャラクター投稿者が、気に入れば採用される。
キャラクター投稿者が、余り上手く絵を描く事ができない人が投稿しても、投稿された絵に魅力を感じた閲覧者が、手を加えてキャラクターを、描き直したり、加筆したりもできる様にし、上記の様にキャラクター投稿者が、気に入れば、採用していく。
この様に投稿者以外の閲覧者も参加してキャラクターを育て上げる事ができる事で、すべての人が、参加して一つのものを、作り上げ育て上げていく楽しみを、提供する事も一つの目的にしているビジネスモデルである
【発明の効果】
【０００４】  本発明により、できる限りの才能を発掘し、世の中に才能を紹介する事ができる。
【０００５】  本発明において、キャラクター投稿者だけでなく、閲覧者が、これは、と思うキャラクターに閲覧者が、キャラクターのプロフィールや、キャラクターの所持するアイテム（道具等）居住環境、物語等、キャラクター投稿者が、投稿時に指定していなければ、投稿する事ができ、キャラクター投稿者が、気に入れば採用される。
キャラクター投稿者が、余り上手く絵を描く事ができない人が投稿しても、投稿された絵に魅力を感じた閲覧者が、手を加えてキャラクターを、描き直したり、加筆したりもできる様にし、上記の様にキャラクター投稿者が、気に入れば、採用していく。
この様に投稿者以外の閲覧者も参加してキャラクターを育て上げる事ができる事で、すべての人が、参加して一つのものを、作り上げ育て上げていく楽しみを、提供する事で、不特定多数の人々に潜在的に秘められた能力を、具現化できる、ビジネスモデルである。
【０００６】  多くの人々が、参加して育て上げたキャラクターの評価は、閲覧者がいつでも変更可能にする。この様にする事で、閲覧者等参加者の興味を、維持する事ができ、本発明のインターネット上のサイトに多くの接続者を招く事が期待できる。
インターネットのホームページやブログ、ツイッター等のサイト評価は、閲覧回数が、評価対象になるため、この様な仕掛けを作る事で、サイトの評価も高まり、バナー広告料の収益も多く見込まれる。
【図面の簡単な説明】
【図１】本発明が目指すネット、キャラクター投稿、評価、販売のビジネスモデルの概略図である。
【図１】
2011258168.tif 000003
【図２】
2011258168.tif 000004
【手続補正書】
【提出日】平成22年10月7日(2010.10.7)
【手続補正１】
【補正対象書類名】明細書
【補正対象項目名】全文
【補正方法】変更
【補正の内容】
【発明の詳細な説明】
【発明の補足説明】
【０００１】  本発明において、キャラクター投稿者だけでなく、閲覧者が、これは、と思うキャラクターに閲覧者が、キャラクターのプロフィールや、キャラクターの所持するアイテム（道具等）居住環境、物語等、キャラクター投稿者が、投稿時に指定していなければ、投稿する事ができ、キャラクター投稿者が、気に入れば採用される。
キャラクター投稿者が、余り上手く絵を描く事ができない人が投稿しても、投稿された絵に魅力を感じた閲覧者が、手を加えてキャラクターを、描き直したり、加筆したりもできる様にし、上記の様にキャラクター投稿者が、気に入れば、採用していく。
この様に投稿者以外の閲覧者も参加してキャラクターを育て上げる事ができる事で、すべての人が、参加して一つのものを、作り上げ育て上げていく楽しみを、提供する事も一つの目的にしているビジネスモデルである。
【発明の効果】
【０００２】  本発明により、できる限りの才能を発掘し、世の中に才能を紹介する事ができる。
【０００３】  本発明において、キャラクター投稿者だけでなく、閲覧者が、これは、と思うキャラクターに閲覧者が、キャラクターのプロフィールや、キャラクターの所持するアイテム（道具等）居住環境、物語等、キャラクター投稿者が、投稿時に指定していなければ、投稿する事ができ、キャラクター投稿者が、気に入れば採用される。
キャラクター投稿者が、余り上手く絵を描く事ができない人が投稿しても、投稿された絵に魅力を感じた閲覧者が、手を加えてキャラクターを、描き直したり、加筆したりもできる様にし、上記の様にキャラクター投稿者が、気に入れば、採用していく。
この様に投稿者以外の閲覧者も参加してキャラクターを育て上げる事ができる事で、すべての人が、参加して一つのものを、作り上げ育て上げていく楽しみを、提供する事で、不特定多数の人々に潜在的に秘められた能力を、具現化できる、ビジネスモデルである。
【０００４】  多くの人々が、参加して育て上げたキャラクターの評価は、閲覧者がいつでも変更可能にする。この様にする事で、閲覧者等参加者の興味を、維持する事ができ、本発明のインターネット上のサイトに多くの接続者を招く事が期待できる。
インターネットのホームページやブログ、ツイッター等のサイト評価は、閲覧回数が、評価対象になるため、この様な仕掛けを作る事で、サイトの評価も高まり、バナー広告料の収益も多く見込まれる。
【図面の簡単な説明】
【図１】本発明が目指すネットキャラクター投稿、評価、販売のビジネスモデルの  概略図である。
【図２】本発明が目指すネットキャラクター投稿、評価、販売のビジネスモデルの、キャラクター評価迄の過程を、フローチャートで、表した図である。
(57)【要約】【課題】携帯電話の画面を見やすくする。【解決手段】携帯電話機本体の周囲に巻き付けて折りたたまれるフレキシブル構造のスクリーン１１を、携帯電話機本体１４に一体に設ける。スクリーン１１は電話機本体１４に巻き付けたとき、全体を筒状に湾曲させるように、簾状の骨材により裏打ちされている。携帯電話機のスクリーンは小さく見にくい。そこで、携帯時には電話機本体の周囲に巻き付けて折りたたまれる構造にした。スクリーンを大きくして見易いようにするため、使用する時は大きく広げて見る。巻き付けるのでスクリーンに無理な曲げが加わらない。スクリーンを見るため広げたり閉じたりすると折り目が出来て痛み故障の原因となる。そこで、折り目が付かないようにゆるやかな半径の構造物に沿って巻き付けて開閉する構造にした。【選択図】図１
2011044968.tif 000002
【特許請求の範囲】
【請求項１】
携帯電話機本体の周囲に巻き付けて折りたたまれ、見る時に広げるフレキシブル構造のスクリーンを、携帯電話機本体に一体に設けたことを特徴とする携帯電話機。
【請求項２】
前記スクリーンは、簾状の骨材により裏打ちされていることを特徴とする請求項１に記載の携帯電話機。
【発明の詳細な説明】
【技術分野】
【０００１】
本発明は、画面を見るときに、スクリーンを大きく広げて見易くする携帯電話機に関する。
【背景技術】
【０００２】
携帯電話機のスクリーンは、従来縦長であった。しかし、ＴＶ画像をを受信して表示するために、横に９０度回して多少面積を広げて見易くしたものが開発されている。
【発明の概要】
【発明が解決しようとする課題】
【０００３】
既知の従来の技術には次のような解決すべき課題があった。携帯電話機は小型化するとスクリーンも小さくなり、大きなスクリーンを得ようとすると携帯しにくくなり、両方の要求を満たすことかできなかった。
そこで携帯しやすく、画面を見る時はスクリーンを広げて大きく見易くした構造の携帯電話機を提供する事を目的とする。
【課題を解決するための手段】
【０００４】
以下の構成はそれぞれ上記の課題を解決するための手段である。
＜構成１＞
携帯電話機本体の周囲に巻き付けて折りたたまれるフレキシブル構造のスクリーンを、携帯電話機本体に一体に設けたことを特徴とする携帯電話機。
【０００５】
携帯電話機のスクリーンは小さく見にくい。そこで、携帯時には電話機本体の周囲に巻き付けて折りたたまれる構造にした。スクリーンを大きくして見易いようにするため、使用する時は大きく広げて見る。巻き付けるのでスクリーンに無理な曲げが加わらない。
【０００６】
＜構成２＞
構成１に記載の携帯電話機において上記のスクリーンは電話機本体に巻き付けたとき、全体を筒状に湾曲させるように、簾状の骨材により裏打ちされていることを特徴とする携帯電話機。
【０００７】
スクリーンを見るため広げたり閉じたりすると折り目が出来て痛み故障の原因となる。スクリーンの曲げる所が急角度であったりする事が原因である。そこで、折り目が付かないようにゆるやかな半径の構造物に沿って巻き付けて開閉する構造にした。簾状の骨材により裏打ちされていれば、このような巻き付けが可能になる。
【発明を実施するための形態】
【０００８】
本発明の携帯電話機は例えば薄く柔らかい有機ＥＬのスクリーンを使い、使用しない時は折り曲げても破損を起こすことがないように電話機本体に巻き付けておき使用する時は大きく広げて見る。以下、本発明の実施の形態を実施例毎に詳細に説明する。
【実施例１】
【０００９】
図１は実施例１の携帯電話１０を示す使用時の正面図、  図２は実施例１の携帯電話１０を示す不使用時の正面図、図３は実施例１の携帯電話１０を示す使用時の側面図、図４は実施例１の携帯電話１０を示す不使用時の側面図である。
【００１０】
図１に示すように携帯電話１０は蝶番１３で接続されたカメラ部分１２とキーボード１４とを備えている。携帯電話１０本体には、図２で示すように巻き付けて折りたたまれる構造のフレキシブルスクリーン１１を大きくし、携帯時には小さく折りたためる構造にした。使用する時はスクリーンを大きく広げて見易くして見る。
【００１１】
図３に示す状態でキーボード１４を矢印方向にたたむ。スクリーンはキーボード１４に巻き付くように全体を筒状に湾曲させて折りたたまれる。
【００１２】
スクリーンを見易くするために広げたり閉じたりすると折り目が傷み、故障の原因となるおそれがある。スクリーンの曲がる所が急角度であったり一直線である事が原因である。そこで、キーボード１４にスクリーン１１を巻き付けることで折り目が集中しないようにゆるやかな半径で開閉する構造にした。
【００１３】
スクリーン１１は、簾状の骨材１５により裏打ちされている。骨材１５は、プラスチックの板でよく、スクリーン１１の裏面に並べて貼り付けられる。これにより、スクリーン１１を容易に巻き付けできる。また、スクリーンを広げたそとには、その状態で安定し、見易い状態を保つことができる。スクリーンの開閉は、本を広げるように広げて大きく見易くできる。
【実施例２】
【００１４】
図１に示すようにスクリーンの開閉は複雑な装置を使用せず本を開くように手で開閉する事とする。この事によって電池の消耗も少なく故障も少なくてすむ簡単な構造とする。
【図面の簡単な説明】
【００１５】
【図１】図１は実施例１の携帯電話１０を示す使用時の正面図である。
【図２】図２は実施例１の携帯電話１０を示す不使用時の正面図である。
【図３】図３は実施例１の携帯電話１０を示す使用時の側面図である。
【図４】図４は実施例１の携帯電話１０を示す不使用時の側面図である。
【符号の説明】
【００１６】
１０  携帯電話機本体
１１  スクリーン
１２  カメラ部分
１３  蝶番
１４  キーボード
１５  簾状の骨材
【図１】
2011044968.tif 000003
【図２】
2011044968.tif 000004
【図３】
2011044968.tif 000005
【図４】
2011044968.tif 000006